(57)【要約】【課題】  簡単な構成で、色の再現性が高い液晶表示装置を提供することを目的とする。【解決手段】  カラー光源（４１、４２、４３）と、カラー光源からの光の透過又は反射を制御する液晶表示部（６０）と、Ｒ色データ、Ｇ色データ及びＢ色データから構成される画素データを受信する受信部（３０）と、少なくともＲデータ、Ｇ色データ及びＢ色データを用いて、補正されたＲデータ、補正されたＧ色データ及び補正されたＢ色データを生成する補正データ生成部（２２）と、補正されたＲ色データ、補正されたＧ色データ及び補正されたＢ色データを用いて液晶表示部を駆動する液晶駆動部（２３）とを有する液晶表示装置（１０）。【選択図】      図４
2007052122.tif 000002
【特許請求の範囲】
【請求項１】
液晶表示装置であって、
カラー光源と、
複数の画素を有し、前記カラー光源からの光の透過又は反射を制御する液晶表示部と、
少なくとも前記複数の画素の内の所定の１画素に対応した、Ｒ色データ、Ｇ色データ及びＢ色データから構成された画素データを受信する受信部と、
前記Ｒ色データ、前記Ｇ色データ及び前記Ｂ色データを用いて、補正されたＲ色データ、補正されたＧ色データ及び補正されたＢ色データを生成する補正データ生成部と、
前記補正されたＲ色データ、前記補正されたＧ色データ及び前記補正されたＢ色データを用いて前記液晶表示部の前記所定の１画素を駆動する液晶駆動部と、
を有することを特徴とする液晶表示装置。
【請求項２】
前記カラー光源は、Ｒ色光を発光するためのＲ色光源と、Ｇ色光を発光するためのＧ色光源と、Ｂ色光を発光するためのＢ色光源を含み、
前記補正されたＲ色データを用いて前記液晶表示部を駆動させつつ前記Ｒ色光源からＲ色光を発光させてＲ色画像を表示させ、前記補正されたＧ色データを用いて前記液晶表示部を駆動させつつ前記Ｇ色光源からＧ色光を発光させてＧ色画像を表示させ、及び前記補正されたＢ色データを用いて前記液晶表示部を駆動させつつ前記Ｂ色光源からＢ色光を発光させてＢ色画像を表示させて、前記所定の１画素の表示を行うように制御する制御部をさらに有する、
請求項１に記載の液晶表示装置。
【請求項３】
前記補正データ生成部は、
少なくとも前記Ｒ色データ、前記Ｇ色データ及び前記Ｂ色データを用いて前記Ｒ色データを補正して補正されたＲ色データを生成し、
少なくとも前記Ｒ色データ、前記Ｇ色データ及び前記Ｂ色データを用いて前記Ｇ色データを補正して補正されたＧ色データを生成し、且つ
少なくとも前記Ｒ色データ、前記Ｇ色データ及び前記Ｂ色データを用いて前記Ｂ色データを補正して補正されたＢ色データを生成する、
請求項１又２に記載の液晶表示装置。
【請求項４】
前記補正データ生成部は、前記Ｒ色データ、前記Ｇ色データ及び前記Ｂ色データの階調データに応じて補正方法を変更し、補正されたＲ色データ、補正されたＧ色データ及び補正されたＢ色データを生成する、請求項１〜３の何れか一項に記載の液晶表示装置。
【請求項５】
前記補正データ生成部における前記階調データに応じた補正方法の変更が、階調データのランクに応じて複数段階に分けられて行われる、請求項４に記載の液晶表示装置。
【請求項６】
前記階調データのランクに応じて設定された複数段階に分けられた補正式を用いて、前記補正されたＲ色データ、前記補正されたＧ色データ及び前記補正されたＢ色データが生成される、請求項５に記載の液晶表示方法。
【請求項７】
前記受信部が受信した所定の１画素分のＲ色データ、Ｇ色データ及びＢ色データのみを記憶し、前記補正データ生成部に送信するためのバッファメモリを更に有する、請求項１〜６の何れか一項に記載の液晶表示装置。
【請求項８】
前記補正されたＲ色データ、前記補正されたＧ色データ及び前記補正されたＢ色データを一時記憶するフレームメモリを更に有する、請求項１〜７の何れか一項に記載の液晶表示装置。
【請求項９】
液晶表示装置であって、
カラー光源と、
複数の画素を有し、前記カラー光源からの光の透過又は反射を制御する液晶表示部と、
少なくとも前記複数の画素の内の所定の１画素に対応した、連続した隣り合う第１の色データ、第２の色データ及び第３の色データから構成された画素データを受信する受信部と、
前記第１の色データ、前記第２の色データ及び前記第３の色データの内の少なくとも１つを用いて、補正された第１の色データ、補正された第２の色データ及び補正された第３の色データを生成する補正データ生成部と、
前記補正された第１の色データ、前記補正された第２の色データ及び前記補正された第３の色データを用いて前記液晶表示部の前記所定の１画素を駆動する液晶駆動部と、
を有することを特徴とする液晶表示装置。
【請求項１０】
前記カラー光源は、第１の色の光を発光するための第１光源と、第２の色の光を発光するための第２光源と、第３の色の光を発光するための第３光源を含み、
前記補正された第１の色データを用いて前記液晶表示部を駆動させつつ前記第１光源から第１の色の光を発光させて第１の色画像を表示させ、前記補正された第２の色データを用いて前記液晶表示部を駆動させつつ前記第２光源から第２の色の光を発光させて第２の色画像を表示させ、及び前記補正された第３の色データを用いて前記液晶表示部を駆動させつつ前記第３光源から第３の色の光を発光させて第３の色画像を表示させるように制御する制御部をさらに有する、
請求項９に記載の液晶表示装置。
【請求項１１】
前記補正データ生成部は、
前記第１の色データ、前記第２の色データ及び前記第３の色データの少なくとも１つを用いて、前記第１の色データを補正して補正された第１の色データを生成し、
前記第１の色データ、前記第２の色データ及び前記第３の色データの少なくとも１つを用いて、前記第２の色データを補正して補正された第２の色データを生成し、
前記第１の色データ、前記第２の色データ及び前記第３の色データの少なくとも１つを用いて、前記第３の色データを補正して補正された第３の色データを生成し、
請求項９又１０に記載の液晶表示装置。
【請求項１２】
前記補正データ生成部は、前記第１の色データ、前記第２の色データ及び前記第３の色データの階調データに応じて補正方法を変更し、補正された第１の色データ、補正された第２の色データ及び補正された第３の色データを生成する、請求項７〜９の何れか一項に記載の液晶表示装置。
【請求項１３】
前記補正データ生成部における前記階調データに応じた補正方法の変更が、階調データのランクに応じて複数段階に分けられて行われる、請求項１２に記載の液晶表示装置。
【請求項１４】
前記階調データのランクに応じて設定された複数段階に分けられた補正式を用いて、前記補正された第１の色データ、前記補正された第２の色データ及び前記補正された第３の色データが生成される、請求項１３に記載の液晶表示方法。
【請求項１５】
前記受信部が受信した連続した隣り合う第１の色データ、第２の色データ及び第３の色データのみを記憶し、前記補正データ生成部に送信するためのバッファメモリを更に有する、請求項９〜１４の何れか一項に記載の液晶表示装置。
【請求項１６】
前記補正された第１の色データ、前記補正された第２の色データ及び前記補正された第３の色データを一時記憶するフレームメモリを更に有する、請求項９〜１５の何れか一項に記載の液晶表示装置。
【発明の詳細な説明】
【技術分野】
【０００１】
本発明は、液晶表示装置に関し、特にＦＳＣ（フィールド・シーケンシャル・カラー）方式の液晶表示装置に関する。
【背景技術】
【０００２】
ＦＳＣ方式の液晶表示装置では、液晶表示画面に表示されるべき１つのカラー画像（１フレーム）を表示するための期間（１フィールド）を、Ｒ色によって表示するＲサブフィールド、Ｇ色によって表示するＧサブフィールド及びＢ色によって表示するＢサブフィールドに分割し、サブフィールド毎に各色の画像を表示することによって、所定のカラー画像を表示する。また、液晶表示画面は、複数の走査電極と複数の信号電極から構成されるマトリックス構造を有している。
【０００３】
したがって、ＦＳＣ方式の液晶表示装置では、Ｒサブフィールド期間において、複数の走査電極を順次走査していきながら、画面全体の液晶画素をＲ色に対応した画素データに基づいて駆動し、その後Ｒ色による発光を行って、Ｒ色の画像を表示する。同様に、Ｇサブフィールド期間においてＧ色の画像を表示し、Ｂサブフィールド期間においてＢ色の画像の表示を行う。Ｒ色の画像、Ｇ色の画像及びＢ色の画像の切換を人の目が認識できる期間以下で行うことによって、人の目にはフルカラーの１つの画像（１フレーム）が表示されているように感じることが可能となる。
【０００４】
ここで、１つの液晶画素について考察すると、最初にＲ色に対応した画素データに基づいて駆動され、次にＧ色に対応した画素データに基づいて駆動され、さらに、Ｂ色に対応した画素データに基づいて駆動されて、初めてその液晶画素に対応した画素の色が表示されることとなる。
【０００５】
図５（ａ）は１つの液晶画素における光透過率の過渡応答を示した図であり、図５（ｂ）は液晶に印加される駆動電圧の説明図である。
【０００６】
なお、図５では、液晶に電圧を印加しない状態で、光透過率が１００％となるノーマリホワイトの液晶パネルを用いた。図５（ａ）において、縦軸は液晶画素の光透過率Ｔ（％）、横軸は経過時間ｔ（ｓｅｃ）を表している。液晶表示画面に用いられる液晶は、一般に応答速度が遅いため、各液晶画素を画素データに応じて駆動しても、液晶画素が所望の光透過度になるまでに所定の時間がかかるという特性を有している。例えば、光透過率が０％に保持されている液晶画素ｓ１に対して、ｔ＝ｔ１′で液晶画素にその画素の光透過率が１００％となるような電圧を印加したとする。すると、曲線５０１のように、ｔ１′時間後から光透過率が変化し始め、ｔ＝ｔ２′で所望の光透過率（１００％）に到達する。その後、所定時間だけ所望の光透過率を保持したのち、徐々に光透過率が元の状態に戻るように変化する。
【０００７】
これに対して、前記画素ｓ１において、この画素ｓ１が直前に駆動されていた場合では、光透過率が５０％に保持されている液晶画素に対して、ｔ＝ｔ１′で液晶画素にその画素の光透過率が１００％となるような電圧を印加したとする（図５（ｂ）参照）。すると、曲線５０２のように、ｔ＝ｔ１′から光透過率が変化し始め、曲線５０１の時より短い、ｔ＝ｔ３′で所望の光透過率（１００％）に到達する。
【０００８】
このように、直前に駆動されていた状況等に応じて、液晶画素の過渡応答特性が異なるので、そのような場合に同じ条件で液晶画素を駆動すると、異なった表示がなされてしまい、当初予定していたような色を再現することができなくなるという問題がある。十分な時間が経過し（例えば、ｔ＝ｔ４′で）、液晶画素の光透過率が安定してから表示を行うようにすれば、液晶画素の過渡応答特性の変化を考慮する必要は無いかもしれない。しかしながら、特にＦＳＣ方式の液晶表示装置では、非常に早いタイミングで（例えば、ｔ＝ｔ５′で）、Ｒ色の画像、Ｇ色の画像及びＢ色の画像を繰り返して表示しなければならないので、このような液晶画素の過渡応答特性が、ＦＳＣ方式の液晶表示装置における色再現性を悪化させる原因となっていた。
【０００９】
そこで、少なくとも、前回液晶画素を駆動した画素データを保持しておき、今回液晶画素を駆動するための画素データを前回の表データを用いて補正することによって色再現性を良くしようとする試みがなされている（例えば、特許文献１参照）。
【００１０】
しかしながら、このような補正を行おうとすると、少なくとも前回の１フレーム分（１画面分）の画素データと今回の１フレーム分（１画面分）の画素データを保持する比較・補正用のフレームメモリを複数有することが必要となる。そのような複数のフレームメモリを有すると、メモリの容量が増え、コストアップ及び装置の小型化を阻害する要因となるという不具合があった。また、そのような不具合は、液晶表示画面が大型化又は高画素化すればするほど顕著になった。
【００１１】
さらに、所定の時間内に、各画素について、前回の画素データと今回の画素データとを比較して、画素データを補正しなければならないことから、演算回路の高速化が必要となって、コストアップや回路が大型化してしまうという不具合があった。
【００１２】
【特許文献１】特開平７−５６１４３号公報（第１図）
【発明の開示】
【発明が解決しようとする課題】
【００１３】
そこで、本発明は、簡単な回路構成又は回路システム構成で、色の再現性が高い液晶表示装置を提供することを目的とする。
【課題を解決するための手段】
【００１４】
本発明に係る液晶表示装置は、カラー光源と、複数の画素を有し、カラー光源からの光の透過又は反射を制御する液晶表示部と、少なくとも複数の画素の内の所定の１画素に対応した、Ｒ色データ、Ｇ色データ及びＢ色データから構成された画素データを受信する受信部と、Ｒ色データ、Ｇ色データ及びＢ色データを用いて、補正されたＲ色データ、補正されたＧ色データ及び補正されたＢ色データを生成する補正データ生成部と、補正されたＲ色データ、補正されたＧ色データ及び補正されたＢ色データを用いて液晶表示部の所定の１画素を駆動する液晶駆動部を有することを特徴とする。所定の画素に対応するＲ色データ、Ｇ色データ及びＢ色データから構成される画素データを、その画素データ自身を利用して補正するように構成したので、所定の画素を前回駆動するのに用いた画素データを保持しておく必要がなくなった。
【００１５】
さらに、本発明に係る液晶表示装置では、カラー光源は、Ｒ色光を発光するためのＲ色光源と、Ｇ色光を発光するためのＧ色光源と、Ｂ色光を発光するためのＢ色光源を含み、
補正されたＲ色データを用いて液晶表示部を駆動させつつＲ色光源からＲ色光を発光させてＲ色画像を表示し、補正されたＧ色データを用いて液晶表示部を駆動させつつＧ色光源からＧ色光を発光させてＧ色画像を表示し、及び補正されたＢ色データを用いて液晶表示部を駆動させつつＢ色光源からＢ色光を発光させてＢ色画像を表示することによって、前記所定の１画素の表示を行うように制御する制御部をさらに有することが好ましい。
【００１６】
さらに、本発明に係る液晶表示装置では、補正データ生成部は、少なくともＲ色データ、Ｇ色データ及びＢ色データを用いて補正されたＲ色データを生成し、少なくともＲ色データ、Ｇ色データ及びＢ色データを用いて補正して補正されたＧ色データを生成し、且つ少なくともＲ色データ、Ｇ色データ及びＢ色データを用いて補正して補正されたＢ色データを生成することが好ましい。
【００１７】
さらに、本発明に係る液晶表示装置では、補正データ生成部は、Ｒ色データ、Ｇ色データ及びＢ色データの階調データに応じて補正方法を変更し、補正されたＲ色データ、補正されたＧ色データ及び補正されたＢ色データを生成することが好ましい。階調レベルに応じて、例えば３段階に分け、より正確な補正を行えるように構成した。
【００１８】
さらに、本発明に係る液晶表示装置では、補正データ生成部における階調データに応じた補正方法の変更が、階調データのランクに応じて複数段階に分けられて行われることが好ましく、さらに、階調データのランクに応じて設定された複数段階に分けられた補正式を用いて、補正されたＲ色データ、補正されたＧ色データ及び補正されたＢ色データが生成されることが好ましい。
【００１９】
さらに、本発明に係る液晶表示装置では、受信部が受信した所定の１画素分のＲ色データ、Ｇ色データ及びＢ色データのみを記憶し、補正データ生成部に送信するためのバッファメモリを更に有することが好ましい。
【００２０】
さらに、本発明に係る液晶表示装置では、補正されたＲ色データ、補正されたＧ色データ及び補正されたＢ色データを一時記憶するフレームメモリをさらに有することが好ましい。
【００２１】
さらに、本発明に係る液晶表示装置では、液晶表示部の近傍に配置された温度センサを有し、前記補正データ生成部はさらに温度センサからの温度検出信号を用いて、補正されたＲ色データ、補正されたＧ色データ及び補正されたＢ色データを生成することが好ましい。
【００２２】
さらに、本発明に係る液晶表示装置では、前記補正データ生成部は、さらに受信したＲ色データ、Ｇ色データ及びＢ色データに対応する液晶画素の周囲に配置される液晶画素の画素データを用いて、補正されたＲ色データ、補正されたＧ色データ及び補正されたＢ色データを生成することが好ましい。
【００２３】
本発明に係る液晶表示装置は、カラー光源と、複数の画素を有し、カラー光源からの光の透過又は反射を制御する液晶表示部と、少なくとも複数の画素の内の所定の１画素に対応した、連続した隣り合う第１の色データ、第２の色データ及び第３の色データから構成された画素データを受信する受信部と、第１の色データ、第２の色データ及び第３の色データの内の少なくとも１つを用いて、補正された第１の色データ、補正された第２の色データ及び補正された第３の色データを生成する補正データ生成部と、補正された第１の色データ、補正された第２の色データ及び補正された第３の色データを用いて液晶表示部の所定の１画素を駆動する液晶駆動部を有することを特徴とする。所定の画素に対応する第１の色データ、第２の色データ及び第３の色データから構成される画素データを、その画素データ自身を利用して補正するように構成したので、所定の画素を前回駆動するのに用いた画素データを保持しておく必要がなくなった。
【００２４】
さらに、本発明に係る液晶表示装置では、カラー光源は、第１の色の光を発光するための第１光源と、第２の色の光を発光するための第２光源と、第３の色の光を発光するための第３光源を含み、補正された第１の色データを用いて液晶表示部を駆動させつつ第１光源から第１の色の光を発光させて第１の色画像を表示させ、補正された第２の色データを用いて液晶表示部を駆動させつつ第２光源から第２の色の光を発光させて第２の色画像を表示させ、及び補正された第３の色データを用いて液晶表示部を駆動させつつ第３光源から第３の色の光を発光させて第３の色画像を表示させるように制御する制御部をさらに有することが好ましい。
【００２５】
さらに、本発明に係る液晶表示装置では、補正データ生成部は、第１の色データ、第２の色データ及び第３の色データの少なくとも１つを用いて、第１の色データを補正して補正された第１の色データを生成し、第１の色データ、第２の色データ及び第３の色データの少なくとも１つを用いて、第２の色データを補正して補正された第２の色データを生成し、第１の色データ、第２の色データ及び第３の色データの少なくとも１つを用いて、第３の色データを補正して補正された第３の色データを生成することが好ましい。
【００２６】
さらに、本発明に係る液晶表示装置では、補正データ生成部は、第１の色データ、第２の色データ及び第３の色データの階調データに応じて補正方法を変更し、補正された第１の色データ、補正された第２の色データ及び補正された第３の色データを生成することが好ましい。階調レベルに応じて、例えば３段階に分け、より正確な補正を行えるように構成した。
【００２７】
さらに、本発明に係る液晶表示装置では、補正データ生成部における階調データに応じた補正方法の変更が、階調データのランクに応じて複数段階に分けられて行われることが好ましく、さらに、階調データのランクに応じて設定された複数段階に分けられた補正式を用いて、補正された第１の色データ、補正された第２の色データ及び補正された第３の色データが生成されることが好ましい。
【００２８】
さらに、本発明に係る液晶表示装置では、受信部が受信した連続した隣り合う第１の色データ、第２の色データ及び第３の色データのみを記憶し、補正データ生成部に送信するためのバッファメモリを更に有することが好ましい。
【００２９】
さらに、本発明に係る液晶表示装置では、補正された第１の色データ、補正された第２の色データ及び補正された第３の色データを一時記憶するフレームメモリをさらに有することが好ましい。
【発明の効果】
【００３０】
本発明に係る液晶表示装置では、複数の比較又は補正用のフレームメモリを用いる必要がないので、メモリの削減とコストダウンを行うことが可能となった。
【００３１】
また、本発明に係る液晶表示装置では、特定の画素の画素データを補正するに際して、特定の画素自体の画素データを利用して補正を行うので、簡素な演算回路で、且つ高速で補正を行うことが可能となった。
【発明を実施するための最良の形態】
【００３２】
以下図面を参照して、本発明に係る液晶表示装置について説明する。
【００３３】
図１は、本発明に係る液晶表示装置１０の概略構成図である。
【００３４】
液晶表示装置１０は、制御部２０、ＩＦ部３０、ＬＥＤ駆動部４０、Ｒ色ＬＥＤ４１、Ｇ色ＬＥＤ４２、Ｂ色ＬＥＤ４３、導光板５０、液晶表示部６０等から構成され、ＦＳＣ方式の液晶表示装置として機能する。
【００３５】
制御部２０は、ＣＰＵ等を含んで構成される制御回路２１、液晶表示部６０の色再現性を高めるために画素データａを補正する演算部２２、液晶表示部６０を駆動するための液晶駆動部２３、液晶表示部６０の駆動と各ＬＥＤとの発光タイミングを取るためのタイミング信号ｄを発生するタイミング信号発生部２４等を含んでいる。
【００３６】
制御回路２１は、例えば携帯電話の制御部から入力された画素データａをＩＦ部３０を介して受信し、受信した画素データａを画素データ演算部２２で補正後、補正された画素データに基づいて液晶駆動部２３によって液晶表示部６０を駆動するように制御を行う。また、制御回路２１は、液晶駆動部２３の駆動と連動してＬＥＤの駆動を行うためのタイミング信号ｄをタイミング信号発生部２４により発生してＬＥＤ駆動部４０へ送信するように制御を行う。
【００３７】
液晶駆動部２３は、液晶表示部６０の複数の信号電極郡へのデータ信号ｂを出力し、複数の走査電極郡への走査信号ｃの出力することによって、液晶表示部６０の全ての液晶画素を順次駆動する。
【００３８】
ＬＥＤ駆動部４０は、タイミング信号ｄに従って、Ｒ色ＬＥＤ４１、Ｇ色ＬＥＤ４２及びＢ色ＬＥＤ４３を駆動して、発光させる。
【００３９】
Ｒ色ＬＥＤ４１、Ｇ色ＬＥＤ４２及びＢ色ＬＥＤ４３は、導光板５０と光学的に接続されており、各ＬＥＤが発光することによって、液晶表示部６０全体が導光板を介して各色ＬＥＤから射出される各色光により照明されるように構成されている。
【００４０】
本実施形態において、液晶表示部６０は、ガラス材より成る上基板及び下基板、上基板及び下基板の間に狭持され且つ封止剤で封止された液晶から構成される、所謂、能動型液晶パネルとして機能する。また、液晶表示部６０には１３１本の信号電極及び１６０本の走査電極がマトリックス状に配置され、各電極の交差する各箇所に画素電極が設けられ、液晶画素として光の透過制御を行えるように構成されている。なお、液晶を駆動するためのアクティブ素子として、ＴＦＴ、ＭｉＭ、ＴＦＤ等を用いることができる。
【００４１】
なお、本実施形態において、液晶表示装置１０に用いられる液晶は、ＴＮ液晶であるが、ＳＴＮ液晶等の他の液晶を利用することも可能である。また、強誘電性液晶、反強誘電性液晶、ＯＣＢ（オプティカル・コンペンセイティド・バイリフレンジング）液晶、垂直配向液晶、ＩＰＳ（インプレイン・スイッチング）液晶（パネル）等を利用することもできる。さらに、これらの液晶を、本発明を用いた受動型液晶パネル、スタティック型液晶パネル、又は能動型液晶パネルとして構成することもできる。その場合にも、本発明の効果を奏することが可能である。
【００４２】
図２は、能動型マトリックス液晶パネルとして機能する液晶表示部６０の動作を説明するための図である。
【００４３】
図２は、液晶表示部６０の信号電極郡１００の内の信号電極１０１及び走査電極郡１０２の内の走査電極１０３に対応した１つの画素６２を示している。画素６２は、トランジスタ６４、液晶画素６６及びキャパシタ６８から構成される。トランジスタ６４のゲート電極Ｇは走査電極１０３に接続されている。走査電極の順次走査によって、トランジスタ６４は導通状態になると、ソース電極Ｓに接続された信号電極に対応する画素データをキャパシタ６８に取り込む。液晶画素６６はキャパシタ６８に取り込まれた電圧に従って駆動され、光透過率を変化させる。なお、キャパシタ６８の働きによって、液晶画素６６は、画素データに対応した状態を所定期間保持することができる。
【００４４】
図３は、液晶表示部６０の駆動するためのタイミングの一例を示す図である。
【００４５】
図３（ａ）のｔ１〜ｔ２間、ｔ４〜ｔ５間及びｔ７〜ｔ８間は、それぞれ１画面分（ｔ１〜ｔ２間：Ｒ色画面１画面分、ｔ４〜ｔ５間：Ｇ色画面１画面分、及びｔ７〜ｔ８間：Ｂ色画面一画面分）の画素データを液晶表示部６０の全ての画素に書き込むための期間を示しており、したがって、１６０本の走査電極郡１０２の全てに順次走査信号が印加される期間に等しい。図３（ｂ）は液晶表示部６０の全ての画素が画素データに対応した光透過率になるまでの待機期間を示している。図３（ｃ）はＲ色ＬＥＤ４１が点灯する期間を示し、図３（ｄ）はＧ色ＬＥＤ４２が点灯する期間を示し、図３（ｅ）はＢ色ＬＥＤが発光する期間を示している。
【００４６】
図３において、１フィールドは、ＦＳＣ型の液晶表示装置において、液晶表示部１４を時分割駆動し、Ｒ色、Ｇ色及びＢ色のＬＥＤを発光させて、１つの液晶画素に特定色を表示させるための期間をいう。さらに、１フィールドは、３等分された、Ｒサブフィールド、Ｇサブフィールド及びＢサブフィールドから構成される。なお、１フィールドで１フレームの画像が表示されることから、画像のちらつき等を防止するために、通常１フィールドは１６．６７ｍｓ程度であり、１フィールドを３等分した１サブフィールドは５．５６ｍｓ程度である。
【００４７】
図３に示すように、ｔ＝ｔ１でＲ色データの書き込みが開始され、ｔ＝ｔ２でＲ色データの書き込みが終了し、ｔ＝ｔ３で最後に選択された走査電極に接続された液晶画素がＲ色データに対応した光透過率となるので、ｔ＝ｔ３〜ｔ４の期間Ｒ色ＬＥＤ４１を発光させてＲ色画像を表示させる。同様に、ｔ＝ｔ４でＧ色データの書き込みが開始され、ｔ＝ｔ５でＧ色データの書き込みが終了し、ｔ＝ｔ６で最後に選択された走査電極に接続された液晶画素がＧ色データに対応した光透過率となるので、ｔ＝ｔ６〜ｔ７の期間Ｇ色ＬＥＤ４２を発光させてＧ色画像を表示させる。さらに、ｔ＝ｔ７でＢ色データの書き込みが開始され、ｔ＝ｔ８でＢ色データの書き込みが終了し、ｔ＝ｔ９で最後に選択された走査電極に接続された液晶画素がＢ色データに対応した光透過率となるので、ｔ＝ｔ９〜ｔ１０の期間Ｂ色ＬＥＤ４３を発光させてＢ色画像を表示させる。
【００４８】
このようにして、順次Ｒ色画像、Ｇ色画像及びＢ色画像を表示して、１フレーム画像を完成させる。同様の手順でフレーム画像を次々と液晶表示部６０に表示させることによって、ユーザは所望の映像を観察することが可能となる。
【００４９】
図４は、本発明に係る液晶表示装置における画素データの流れを説明するための図である。
【００５０】
図４に示すように、画素データａは、画素毎の各色６ｂｉｔのＲ、Ｇ、Ｂ色データ（図４のＲ、Ｇ、Ｂ参照）がシリアルに連なったデータ群である。さらに、液晶表示部６０の全画素数（１６０×１３１＝２０９６０画素）分のデータが集まって１フレーム分の画素データとなる。なお、連結したＲ、Ｇ、Ｂ色データの順番は、必ずしもＲ→Ｇ→Ｂの順でなくても良い。
【００５１】
また、図４に示すように、演算部２２は、１画素分のメモリ１２０及び演算回路１２１等を含んで構成されている。液晶駆動部２３は、液晶表示部６０の全画素数（１６０×１３１＝２０９６０画素）分の画素毎の補正されたＲ、Ｇ、Ｂ色データ（ＴＲ、ＴＧ、ＴＢ）を一時記憶することができるフレームメモリ１２２、Ｒ、Ｇ、Ｂ色の何れか１つの色について１ライン分（１６０画素）の画素データを一時記憶することができるラインメモリ１２３、データ信号発生回路１２４、走査信号発生回路１２５等を含んで構成されている。メモリ１２０は、１画素分のデータ、即ちＲ色データ、Ｇ色データ及びＢ色データのみをバッファすることができる記憶容量があれば良いが、記憶容量を１画素分のデータに限定する必要はなく、適宜、安価で十分に記憶容量の小さいメモリをメモリ１２０として利用することが可能である。フレームメモリ１２２は、表示パネルにデータを送信するために必要な表示用のフレームメモリであるが、Ｒ色データ用のＲサブフレームメモリ、Ｇ色データ用のＧサブフレームメモリ及びＢ色データ用のＢサブフレームメモリから構成されていることが好ましい。
【００５２】
制御回路２１は、１画素分のメモリ１２０が、シリアル信号として入力される画素データａを、画素毎のＲ、Ｇ、Ｂ色データとして演算回路１２１へ出力するように制御を行う。また、制御回路２１は、演算回路１２１が、入力された画素毎のＲ、Ｇ、Ｂ色データ（Ｒ、Ｇ、Ｂ）を後述する補正式に応じて補正し、補正された画素毎のＲ、Ｇ、Ｂ色データ（ＴＲ、ＴＧ、ＴＢ）を液晶駆動部２３へ出力するように制御を行う。
【００５３】
制御回路２１は、フレームメモリ１２２に、演算回路１２１から受信した補正された画素毎のＲ、Ｇ、Ｂ色データ（ＴＲ、ＴＧ、ＴＢ）を一時記憶させ、フレームメモリ１２２に記憶された補正された画素データを、ライン単位でラインメモリ１２３へ出力するように制御を行う。さらに、制御回路２１は、走査信号発生回路１２５から１６０本の走査電極郡１０２に対して走査信号を順次出力させ、走査信号に同期して、補正された画素データに対応したデータ信号をデータ信号発生回路１２４から１３１本のデータ信号電極郡１００に対して同時に出力させるように制御を行う。
【００５４】
次に、各色データを補正する補正式について説明する。
【００５５】
本実施形態では、補正式は、各色の画素データの階調データ（輝度レベル）に応じて３段階に分け、各レベルに応じて、それぞれに対応した補正式を用いて補正された各色データ（ＴＲ、ＴＧ及びＴＢ）を補正される前の各色データ（Ｒ、Ｇ、Ｂ）から求める。前述したように、各色データは、６ｂｉｔの階調データから構成されるため、階調データは６３〜０レベルの範囲となる。本実施形態では、高階調の第１段階を６３〜６０とし、中階調の第２段階を５９〜１５とし、低階調の第３段階を１４〜０とした。複数段階に分けたのは、そのような階調データを段階化して補正式を当てはめた方がより色再現性の良い画像が得られるからである。したがって、複数段階に分けずに、補正式を当てはめるようにしても良い。また、前述した階調レベルや３段階に限定することなく、他の階調レベルを選択することや、４段階以上に分けて補正式を設定することも可能である。
【００５６】
本実施形態では、３段階に分けて補正式を当てはめるように構成したので、回路規模が大きくならず、安価且つ適切な補正ができ、表示品質が向上した。このように、階調データに応じた分割段階の階数を決めるためには、液晶の駆動に対する光透過率の応答特性と、補正のための回路システムや演算回路の規模を考慮して決定することが好ましい。
【００５７】
階調データが６３〜６０の場合：
ＴＲ＝ａ1Ｒ＋ｂ1Ｇ＋ｃ1Ｂ＋ＯＦＳ1    （１）
ＴＧ＝ａ2Ｒ＋ｂ2Ｇ＋ｃ2Ｂ＋ＯＦＳ2    （２）
ＴＢ＝ａ3Ｒ＋ｂ3Ｇ＋ｃ3Ｂ＋ＯＦＳ3    （３）
【００５８】
階調データが５９〜１５の場合：
ＴＲ＝ａ4Ｒ＋ｂ4Ｇ＋ｃ4Ｂ＋ＯＦＳ4    （４）
ＴＧ＝ａ5Ｒ＋ｂ5Ｇ＋ｃ5Ｂ＋ＯＦＳ5    （５）
ＴＢ＝ａ6Ｒ＋ｂ6Ｇ＋ｃ6Ｂ＋ＯＦＳ6    （６）
【００５９】
階調データが１４〜０の場合：
ＴＲ＝ａ7Ｒ＋ｂ7Ｇ＋ｃ7Ｂ＋ＯＦＳ7    （７）
ＴＧ＝ａ8Ｒ＋ｂ8Ｇ＋ｃ8Ｂ＋ＯＦＳ8    （８）
ＴＢ＝ａ9Ｒ＋ｂ9Ｇ＋ｃ9Ｂ＋ＯＦＳ9    （９）
【００６０】
上記に示した補正式（１）〜（９）において、定数ａ1〜ａ9、ｂ1〜ｂ9、ｃ1〜ｃ9及びＯＦＳ1〜ＯＦＳ9は、実験及び液晶の特性を測定して定め、予め演算回路１２１に設定した。また、定数ａ1〜ａ9、ｂ1〜ｂ9、ｃ1〜ｃ9及びＯＦＳ1〜ＯＦＳ9のいずれかは、「０」であっても良い。本発明においては、１フレーム前の画素データとの比較ではなく、１画素の自己の画素データのみに基づいて補正を行っている。これは、ＦＳＣ方式の液晶表示装置では、特定の画素において、例えば、最初に自己の画素データの内のＲ色データに基づいて特定の液晶画素が駆動され、次に自己の画素データの内のＧ色データに基づいて前記特定の液晶画素が駆動され、次に自己の画素データの内のＢ色データに基づいて前記特定の液晶画素が駆動される。Ｇ色データとＢ色データとによって液晶画素が駆動される場合、それぞれの前に液晶画素がどのように駆動されていたかは、前記特定の液晶画素の自己の画素データに基づいて判断することができる。ところで、Ｒ色データに基づいて液晶画素を駆動する場合には、１フレーム前のＢ色データを見なければならない。しかしながら、特定の画素で再現される色には連続性があるので（突然、全く関係ない色が再現される可能性は低い）、１フレーム前にどのように液晶画素が駆動されたかは、Ｒ色、Ｇ色及びＢ色からある程度、経験上予想することが可能である。そこで、本発明では、１フレーム前の画素データではなく、自己の画素データを利用して自分自身の画素データの補正を行うように制御した。従来の回路では、図４に示す１画素分のメモリ１２０の代わりに、１フレーム分又は少なくとも１サブフレーム分のメモリを設ける必要があったが、本実施形態では、自己の画素データを利用して自分自身の画素データの補正を行うように制御したので、１フレーム分又は少なくとも１サブフレーム分のメモリを設ける必要がなくなった。
【００６１】
上記の実施形態では、Ｒ、Ｇ、Ｂ色データを用いて説明を行ったが、Ｙ、Ｍ、Ｃ色データや他の色表示データ群を用いることもできる。
【００６２】
本発明を、温度特性の大きな液晶（周囲温度及び自己温度により液晶特性が大きく変化するような液晶）に適用することも可能である。温度特性の大きな液晶では、周囲温度の変化によって、色再現性が変化してしまう可能性がある。そこで、液晶表示部６０の周囲に温度センサを配置し、温度センサからの温度検出信号に応じて、ＯＦＳ1〜ＯＦＳ9を可変することによって、周囲温度の影響をキャンセルするように制御することもできる。
【図面の簡単な説明】
【００６３】
【図１】本発明に係わる液晶表示装置の概略構成図である。
【図２】図１における液晶表示部の動作を説明するための図である。
【図３】図１における液晶表示部の動作タイミングの一例を示す図である。
【図４】本発明に係わる液晶表示装置における画素データの流れを説明するための図である。
【図５】（ａ）は液晶の光透過率の過渡応答特性を示した図であり、（ｂ）は液晶に印加される駆動電圧を説明するための図である。
【符号の説明】
【００６４】
１０    液晶表示装置
２０    制御部
２１    制御回路
２２    演算部
２３    液晶駆動部
３０    ＩＦ部
４０    ＬＥＤ駆動部
５０    導光板
６０    液晶表示部
【図１】
2007052122.tif 000003
【図２】
2007052122.tif 000004
【図３】
2007052122.tif 000005
【図４】
2007052122.tif 000006
【図５】
2007052122.tif 000007